(57)【特許請求の範囲】
【請求項１】
対向する一対の出入口が設けられた洗面室内で洗濯物が取り付けられる物干し部材と、
前記物干し部材の少なくとも一部分が、前記対向する一対の出入口の間に配置された前記洗面室内の移動動線に配置される第一の位置と、前記物干し部材の少なくとも一部分が前記洗面室に設置された機器の設置スペースに配置される位置であって、前記第一の位置よりも前記設置スペース側に位置する第二の位置と、の間で前記物干し部材を移動可能に支持する移動機構と、
操作可能に構成され、前記操作に応じて前記移動機構により前記物干し部材を前記第一の位置と前記第二の位置との間で移動させる操作部材と、を具備し、
前記物干し部材は、
前記一対の出入口が向かい合う方向に対して平面視で直交する方向に長手方向を向けた長手状に形成される、
ことを特徴とする物干し構造。
【請求項２】
前記第一の位置は、前記第二の位置よりも下方に配置され、
前記物干し部材は、前記第一の位置と前記第二の位置との間を、側面視で鉛直方向に対して斜め方向に延びる移動軌跡を描くように移動する、
ことを特徴とする請求項１に記載の物干し構造。
【請求項３】
前記物干し部材は、前記移動機構の真下方に支持され、
前記移動軌跡は、平面視で前記長手方向に延びる、
ことを特徴とする請求項２に記載の物干し構造。
【請求項４】
前記移動軌跡は側面視で円弧状又は直線状である、
ことを特徴とする請求項２又は請求項３に記載の物干し構造。
【発明の詳細な説明】
【技術分野】
【０００１】
本発明は、洗面室内で洗濯物を干すための物干し構造の技術に関する。
【背景技術】
【０００２】
従来、洗面室等の室内で洗濯物を干すための物干し構造の技術は公知となっている。例えば、特許文献１に記載の如くである。
【０００３】
特許文献１には、昇降可能に構成された物干し竿と、天井面に設置されて前記物干し竿を内部に収納可能に構成された本体部と、を具備する室内物干し装置（物干し構造）が開示されている。
【０００４】
前記室内物干し装置においては、下降させた物干し竿に洗濯物を取り付けることにより、取り付けた洗濯物を室内で干す（乾燥させる）ことができる。また、物干し竿に取り付けられた洗濯物が乾燥した場合は、洗濯物を物干し竿から取り外すと共に当該物干し竿を上昇させて天井面（本体部）に収納することにより、室内から物干し竿を隠蔽することができる。
【０００５】
しかしながら、前記室内物干し装置においては、物干し竿に取り付けられた洗濯物を干している状態では、下降させた物干し竿や、当該物干し竿に取り付けられた洗濯物が室内で利用者の移動等の動作の妨げとなる点で不都合である。
【先行技術文献】
【特許文献】
【０００６】
【特許文献１】特許第３５２９７１４号公報
【発明の概要】
【発明が解決しようとする課題】
【０００７】
本発明は、以上の如き状況を鑑みてなされたものであり、その解決しようとする課題は、洗濯物を洗面室内で干している状態であっても、洗面室内で利用者の動作の妨げとなるのを防止することができる物干し構造を提供することである。
【課題を解決するための手段】
【０００８】
本発明の解決しようとする課題は以上の如くであり、次にこの課題を解決するための手段を説明する。
【０００９】
即ち、請求項１においては、対向する一対の出入口が設けられた洗面室内で洗濯物が取り付けられる物干し部材と、前記物干し部材の少なくとも一部分が、前記対向する一対の出入口の間に配置された前記洗面室内の移動動線に配置される第一の位置と、前記物干し部材の少なくとも一部分が前記洗面室に設置された機器の設置スペースに配置される位置であって、前記第一の位置よりも前記設置スペース側に位置する第二の位置と、の間で前記物干し部材を移動可能に支持する移動機構と、操作可能に構成され、前記操作に応じて前記移動機構により前記物干し部材を前記第一の位置と前記第二の位置との間で移動させる操作部材と、を具備し、前記物干し部材は、前記一対の出入口が向かい合う方向に対して平面視で直交する方向に長手方向を向けた長手状に形成されるものである。
【００１０】
請求項２においては、前記第一の位置は、前記第二の位置よりも下方に配置され、前記物干し部材は、前記第一の位置と前記第二の位置との間を、側面視で鉛直方向に対して斜め方向に延びる移動軌跡を描くように移動するものである。
【００１１】
請求項３においては前記物干し部材は、前記移動機構の真下方に支持され、前記移動軌跡は、平面視で前記長手方向に延びるものである。
【００１２】
請求項４においては、前記移動軌跡は側面視で円弧状又は直線状であるものである。
【発明の効果】
【００１３】
本発明の効果として、以下に示すような効果を奏する。
【００１４】
請求項１においては、洗濯物を洗面室内で干している状態であっても、洗面室内で利用者の動作の妨げとなるのを防止することができる。
【００１５】
請求項２においては、物干し部材の移動のために必要なスペースを小さくすることができる。
【００１６】
請求項３においては、多量の洗濯物を干すことができる。
【００１７】
請求項４においては、物干し部材の移動距離を概ね最短距離とすることができる。
【図面の簡単な説明】
【００１８】
【図１】本発明の第一実施形態に係る（洗濯物干し位置に配置された）物干し構造及び洗面脱衣室を示す平面図。
【図２】同じく、側面図。
【図３】同じく、洗濯物取付位置に配置された物干し構造及び洗面脱衣室を示す平面図。
【図４】同じく、側面図。
【図５】同じく、物干し作業の手順を示す側面図。
【図６】同じく、物干し作業の手順の続きを示す側面図。
【図７】同じく、２４時間換気システムが導入された場合の洗面脱衣室における空気の流れを示す平面図。
【図８】同じく、乾燥機構を具備する物干し構造及び洗面脱衣室を示す平面図。
【図９】本発明の第二実施形態に係る（洗濯物干し位置に配置された）物干し構造及び洗面脱衣室を示す平面図。
【図１０】同じく、背面図。
【図１１】同じく、洗濯物取付位置に配置された物干し構造及び洗面脱衣室を示す平面図。
【図１２】同じく、背面図。
【発明を実施するための形態】
【００１９】
以下の説明においては、図中に記した矢印に従って、上下方向、左右方向及び前後方向をそれぞれ定義する。
【００２０】
以下では、本発明の第一実施形態に係る物干し構造１００について説明する。
【００２１】
まず、図１及び図２を用いて、物干し構造１００が導入された洗面脱衣室１０の全体的な構成について説明する。
【００２２】
洗面脱衣室１０は、例えば住宅に設けられ、洗面室及び脱衣室としての機能を有する部屋である。洗面脱衣室１０は、右方に配置される浴室４０と、左方に配置されて図示せぬ居間等へと通じる廊下５０と、の間に介設される。洗面脱衣室１０は、四方が複数の壁部（パネル）により囲まれ、平面視略矩形状に形成される。より詳細には、洗面脱衣室１０は、前側に配置された前壁部１１と、後側に配置された後壁部１２と、左側に配置された左壁部１３と、右側に配置された右壁部１４と、これらの壁部の上端部に亘って配置された天井面１５とにより、周囲を囲まれて形成される。
【００２３】
前壁部１１の右部には、窓２１が設けられる。また、天井面１５の右前部には、洗面脱衣室１０内の換気を促進するための天井換気扇２２が設けられる。
【００２４】
また、左壁部１３の後部には、廊下側出入口２３が設けられる。廊下側出入口２３には、開閉自在に構成された廊下側ドア２５が設置される。こうして、洗面脱衣室１０を利用する者（以下では「利用者」と称する）は、廊下側出入口２３を介して洗面脱衣室１０と廊下５０とを行き来することができる。右壁部１４の後部には、浴室側出入口２４が設けられる。浴室側出入口２４には、開閉自在に構成された浴室側ドア２６が設置される。こうして、利用者は、浴室側出入口２４を介して洗面脱衣室１０と浴室４０とを行き来することができる。
【００２５】
洗面脱衣室１０には、当該洗面脱衣室１０内で利用者が動作するためのスペース（以下では「動作スペースＳ１」（移動動線）と称する）が形成される。動作スペースＳ１は、洗面脱衣室１０の後側半分に形成される。なお、本実施形態において、前記洗面脱衣室１０内での利用者の動作には、洗面室及び脱衣室としての機能が果たされる場合に行われる洗顔、脱衣等や、洗面脱衣室１０内の移動や、後述する洗濯機３３を使用した洗濯や、後述する物干し作業等が含まれるものとする。
【００２６】
洗面脱衣室１０には、当該洗面脱衣室１０で使用される種々の機器が設置されるためのスペース（以下では「設置スペースＳ２」と称する）が形成される。設置スペースＳ２は、洗面脱衣室１０の前側半分に形成される。このように、洗面脱衣室１０は、設置スペースＳ２及び動作スペースＳ１により前後２つのスペースに区分けされる。本実施形態において、設置スペースＳ２には、前記機器としてパイプスペース３１と、洗面台３２と、洗濯機３３と、が設置される。
【００２７】
パイプスペース３１は、洗面台３２等の水周り設備からの排水等を流すためのものである。パイプスペース３１は、複数の板材により内部空間を有する略箱状に形成される。パイプスペース３１には、図示せぬ給排水管やガス管等が収納される。パイプスペース３１は、前壁部１１及び左壁部１３に対向するように、洗面脱衣室１０の左前部に設置される。
【００２８】
洗面台３２は、利用者が洗顔等を行うためのものである。洗面台３２は、平面視略矩形状に形成される。洗面台３２の上面には、洗面ボウルや水栓器具等が設けられる。洗面台３２は、パイプスペース３１及び左壁部１３に対向するように、洗面脱衣室１０の左前部（パイプスペース３１の後方）に設置される。
【００２９】
洗濯機３３は、利用者が洗濯等を行うためのものである。洗濯機３３は、平面視略矩形状に形成される。洗濯機３３は、前壁部１１及び右壁部１４に対向するように、洗面脱衣室１０の右前部に配置される。
【００３０】
このように構成された洗面脱衣室１０には、当該洗面脱衣室１０内で洗濯物を干す（乾燥させる）ための物干し構造１００が導入されている。
【００３１】
以下では、図１から図４を用いて、物干し構造１００の構成について説明する。
【００３２】
なお、図１及び図３においては、説明の便宜上、物干し構造１００を簡略化して図示するものとする。
【００３３】
物干し構造１００は、主として物干し部材１１０と、移動機構１２０と、操作部材１３０と、を具備する。
【００３４】
なお、物干し部材１１０は、後述するように、２つの位置の間を移動するものである。ここで、前記２つの位置とは、洗濯物を物干し部材１１０に取り付けるための洗濯物取付位置と、物干し部材１１０に取り付けられた洗濯物を干すための洗濯物干し位置と、を指す。まず以下では、図１及び図２を用いて、物干し部材１１０が洗濯物干し位置に配置された状態の物干し構造１００について説明する。
【００３５】
物干し部材１１０は、洗面脱衣室１０内で洗濯物が取り付けられると共に取り付けられた洗濯物を干すためのものである。物干し部材１１０は、移動機構１２０を介して天井面１５に支持される。物干し部材１１０は、細長い略円柱状（長手状）に形成される。物干し部材１１０は、長手方向を前後方向へ向けて配置される。物干し部材１１０の長手方向（前後方向）の長さは、動作スペースＳ１及び設置スペースＳ２の前後方向の長さと略同一に形成される。物干し部材１１０の上面には、ハンガー１１２や当該ハンガー１１２の向きを平面視で９０度変更させる補助金物１１３等（図５参照）を保持するための複数の溝１１１が形成される。
【００３６】
物干し部材１１０は、洗濯物干し位置に配置された場合、洗面脱衣室１０の右前部であって洗濯機３３の上方、すなわち設置スペースＳ２に配置される。より詳細には、物干し部材１１０の大部分は、設置スペースＳ２の上部に配置される。物干し部材１１０の大部分以外の部分（本実施形態においては、後端部）は、設置スペースＳ２から動作スペースＳ１へとはみ出るように配置される。なお、本実施形態において、前記物干し部材１１０の大部分とは、当該物干し部材１１０のうち、長手方向の長さの少なくとも半分以上の長さを占める部分を指すものとする。
【００３７】
移動機構１２０は、洗濯物取付位置と洗濯物干し位置との間で物干し部材１１０を移動可能に支持するものである。移動機構１２０は、主として基台部１２１と、リンク部１２２と、付勢部１２７と、を具備する。
【００３８】
基台部１２１は、移動機構１２０を天井面１５に固定するものである。基台部１２１は、洗面脱衣室１０の天井面１５に固定される。基台部１２１は、細長い略矩形状に形成される。基台部１２１は、長手方向を前後方向へ向けて配置される。
【００３９】
基台部１２１は、洗面脱衣室１０の右部において前後中央部の若干後方、すなわち概ね動作スペースＳ１に配置される。より詳細には、基台部１２１の大部分は、動作スペースＳ１に配置される。基台部１２１の大部分以外の部分（本実施形態においては、前端部）は、動作スペースＳ１から設置スペースＳ２へとはみ出るように配置される。なお、本実施形態において、前記基台部１２１の大部分とは、当該基台部１２１のうち、長手方向の長さの少なくとも半分以上の長さを占める部分を指すものとする。
【００４０】
リンク部１２２は、物干し部材１１０を移動可能に支持するものである。リンク部１２２は、基台部１２１の真下方に配置され、当該基台部１２１に回動自在に支持される。リンク部１２２は、主として第一アーム１２３と、第二アーム１２４と、第三アーム１２５と、を具備する。
【００４１】
第一アーム１２３は、その板面を左右方向へ向けた細長い平板状に形成される。第一アーム１２３の一端部（上端部）は、基台部１２１の前部に、第一回動軸１２６ａを介して前後方向へ回動自在に軸支される。第一アーム１２３は、洗濯物干し位置において、一端部（上端部）を上後方へ向けると共に他端部（下端部）を下前方へ向けた姿勢に配置される。
【００４２】
第二アーム１２４は、その板面を左右方向へ向けた細長い平板状に形成される。第二アーム１２４は、第一アーム１２３と略同一の形状及び大きさとなるように形成される。第二アーム１２４は、第一アーム１２３の後方に配置される。第二アーム１２４の一端部（上端部）は、基台部１２１の後部に、第二回動軸１２６ｂを介して前後方向へ回動自在に軸支される。第二アーム１２４は、洗濯物干し位置において、一端部（上端部）を上後方へ向けると共に他端部（下端部）を下前方へ向けた姿勢に配置される。
【００４３】
第三アーム１２５は、その板面を左右方向へ向けた細長い平板状に形成される。第三アーム１２５は、第一アーム１２３の他端部（下端部）と第二アーム１２４の他端部（下端部）とを連結するものである。具体的には、第三アーム１２５の一端部（前端部）は、第一アーム１２３の他端部（下端部）に、第三回動軸１２６ｃを介して互いに回動自在に軸支される。また、第三アーム１２５の他端部（後端部）は、第二アーム１２４の他端部（下端部）に、第四回動軸１２６ｄを介して互いに回動自在に軸支される。第三アーム１２５は、リンク部１２２の回動にかかわらず（すなわち、物干し部材１１０が配置される位置にかかわらず）、長手方向を前後方向へ向けた姿勢に配置される。
【００４４】
このように構成されたリンク部１２２において、第一回動軸１２６ａ、第二回動軸１２６ｂ、第三回動軸１２６ｃ及び第四回動軸１２６ｄは、側面視で平行四辺形の頂点に相当する位置にそれぞれ配置される。すなわち、第一アーム１２３及び第二アーム１２４は、互いに対向して配置された一対のリンク部材として四節平行リンク機構を構成する。こうして、リンク部１２２は、基台部１２１に前後方向に回動自在に支持される。
【００４５】
なお、リンク部１２２（より詳細には、第三回動軸１２６ｃ及び第四回動軸１２６ｄ）は、ワイヤを用いて物干し部材１１０を吊り下げる。こうして、物干し部材１１０は、リンク部１２２（すなわち、移動機構１２０）の真下方に配置されると共に、リンク部１２２により移動可能に支持される。物干し部材１１０は、リンク部１２２により移動される際、長手方向を前後方向へ向けた姿勢が常に維持される。
【００４６】
付勢部１２７は、基台部１２１の内側に収納される。付勢部１２７には、リンク部１２２（より詳細には、リンク部１２２のうち第二アーム１２４）を前方へ回動するように付勢する図示せぬゼンマイバネや、第二アーム１２４が後方へ回動された場合に前記ゼンマイバネの付勢を所定の操作が行われるまで当該第二アーム１２４に与えないように構成される図示せぬストッパ等が設けられる。
【００４７】
こうして、付勢部１２７のゼンマイバネによりリンク部１２２が前方へ付勢され、通常時（物干し部材１１０に洗濯物を取り付ける時以外の時）には、物干し部材１１０が洗濯物干し位置に配置される。また、第二アーム１２４が後方へ回動された場合、すなわち物干し部材１１０が洗濯物干し位置から洗濯物取付位置へと移動された場合には、所定の操作（後述する操作部材１３０の引っ張り操作）が行われるまで付勢部１２７のストッパによりリンク部１２２の姿勢が維持され、ひいては当該物干し部材１１０が洗濯物取付位置に配置される（図４参照）。
【００４８】
操作部材１３０は、利用者から操作（引っ張り操作）可能に構成される。操作部材１３０は、細長い棒状に形成される。操作部材１３０は、物干し部材１１０の前後中央部に吊り下げられた状態で取り付けられる。操作部材１３０の下端部は、動作スペースＳ１にいる利用者が把持可能な位置に配置される。
【００４９】
以下では、図３及び図４を用いて、物干し部材１１０が洗濯物取付位置に配置された状態の物干し構造１００について説明する。
【００５０】
物干し部材１１０は、洗濯物取付位置に配置された場合、洗面脱衣室１０の右部において前後中央部の若干後方、すなわち概ね動作スペースＳ１に配置される。より詳細には、物干し部材１１０の大部分は、動作スペースＳ１の上下中央部の若干上方に配置される。物干し部材１１０の大部分以外の部分（本実施形態においては、前部）は、動作スペースＳ１から設置スペースＳ２へとはみ出るように配置される。洗濯物取付位置に配置された場合の物干し部材１１０は、洗濯物干し位置に配置された場合の物干し部材１１０の後下方に位置される。
【００５１】
このように、物干し構造１００においては、物干し部材１１０の大部分が動作スペースＳ１（移動動線）に配置される洗濯物取付位置と、物干し部材１１０の大部分が設置スペースＳ２に配置される洗濯物干し位置と、の間で、当該物干し部材１１０が往復移動可能に構成される。物干し部材１１０の移動は、利用者による操作部材１３０の引っ張り操作により行われる。
【００５２】
具体的には、物干し部材１１０が洗濯物干し位置に配置された状態で操作部材１３０が引っ張り操作されると、前記操作に応じて移動機構１２０のリンク部１２２が後方へと回動し、物干し部材１１０が洗濯物干し位置から洗濯物取付位置へと移動される。物干し部材１１０は洗濯物干し位置へと移動されると、付勢部１２７のストッパにより洗濯物取付位置へと配置された状態が維持される。
【００５３】
また、物干し部材１１０が洗濯物取付位置に配置された状態で操作部材１３０がもう一度引っ張り操作されると、当該操作に応じて付勢部１２７のゼンマイバネによりリンク部１２２が前方へ付勢され、当該リンク部１２２が前方へと回動する。リンク部１２２が前方へと回動すると、当該物干し部材１１０が洗濯物取付位置から洗濯物干し位置へと移動される。
【００５４】
なお、物干し部材１１０が洗濯物干し位置と洗濯物取付位置との間を移動する場合、当該物干し部材１１０は、移動機構１２０により側面視で鉛直方向に対して斜め方向に延びる移動軌跡を描くように移動する。本実施形態においては、前記移動軌跡は、図４に示すように、側面視で洗濯物干し位置と洗濯物取付位置とを結ぶ円弧状となる。また、洗濯物干し位置は洗濯物取付位置と前後方向に位置されるものであるため、物干し部材１１０の移動軌跡は、平面視で洗濯物干し位置と洗濯物取付位置とを結ぶ直線状となる。
【００５５】
このように、物干し部材１１０が洗濯物干し位置と洗濯物取付位置との間を移動する場合、当該物干し部材１１０は、洗濯物干し位置と洗濯物取付位置との間を概ね最短距離で移動している。
【００５６】
以下では、図２、及び図４から図７を用いて、洗面脱衣室１０に洗濯物を干す作業（物干し作業）の手順について説明する。
【００５７】
なお以下では、物干し作業前において、物干し部材１１０は、図２に示す洗濯物干し位置に配置されると共に、洗濯物が取り付けられていない状態であるものとする。
【００５８】
まず、図４に示すように、動作スペースＳ１にいる利用者は、操作部材１３０を引っ張り操作する。操作部材１３０が引っ張り操作されると、物干し部材１１０が移動機構１２０により洗濯物干し位置から洗濯物取付位置へと移動される。物干し部材１１０が洗濯物取付位置へと移動されると、物干し部材１１０の洗濯物取付位置へと配置された状態が維持される。
【００５９】
物干し部材１１０が洗濯物取付位置へと配置されると、図５に示すように、利用者は当該物干し部材１１０に洗濯物（図５においては、Ｔシャツ）を取り付ける。なお、物干し部材１１０が洗濯物取付位置へと配置されると、当該物干し部材１１０の大部分は動作スペースＳ１の上下中央部の若干上方に配置される。したがって、利用者は、動作スペースＳ１から物干し部材１１０へと洗濯物を容易に取り付けることができる。
【００６０】
このように、利用者は操作部材１３０を引っ張り操作するだけで（すなわち、１度操作するだけで）、物干し部材１１０を洗濯物干し位置から洗濯物取付位置へと移動させることができる。すなわち、利用者は、容易な操作で物干し部材１１０に洗濯物を取り付け可能な状態とするることができる。
【００６１】
洗濯物が取り付けられた後、利用者は、操作部材１３０をもう一度引っ張り操作する。物干し部材１１０が洗濯物取付位置に配置された状態で操作部材１３０が引っ張り操作されると、図６に示すように、付勢部１２７の付勢により物干し部材１１０が洗濯物取付位置から洗濯物干し位置へと移動される。物干し部材１１０が洗濯物干し位置へと移動されると、物干し部材１１０の洗濯物干し位置へと配置された状態が維持される。
【００６２】
洗濯物が取り付けられた物干し部材１１０が洗濯物干し位置へと配置されると、当該洗濯物が干される（乾燥される）。
【００６３】
このように、利用者は操作部材１３０を引っ張り操作するだけで（すなわち、１度操作するだけで）、物干し部材１１０を洗濯物取付位置から洗濯物干し位置へと移動させることができる。すなわち、利用者は、容易な操作で物干し部材１１０に取り付けられた洗濯物を干す状態とすることができる。
【００６４】
また、物干し部材１１０が洗濯物干し位置へと配置されると、当該物干し部材１１０の大部分は設置スペースＳ２の上部に配置される。ここで、設置スペースＳ２は、動作スペースＳ１とは異なり、洗面脱衣室１０内において利用者の動作が行われない場所（いわゆるデッドスペース）である。すなわち、物干し部材１１０が洗濯物干し位置へと配置された状態で洗濯物を干すことにより、洗面脱衣室１０のデッドスペースを有効活用することができる。さらに、洗濯物を洗面脱衣室１０で干している状態であっても、当該洗面脱衣室１０内で利用者の動作の妨げとなるのを防止することができる。
【００６５】
また、洗濯物を洗面脱衣室１０で干している状態で窓２１を開けたり、天井換気扇２２を作動させたりすると、当該洗面脱衣室１０内の湿った空気を外部へと排出することができ、洗濯物の乾燥を促進させることができる。
【００６６】
また、例えば前記住宅がマンション等である場合には、２４時間換気システムが導入されている場合がある。このような場合、浴室４０に設置された図示せぬ天井換気扇が常時作動されることにより、洗面脱衣室１０内には、図７に示すように、廊下側出入口２３側から浴室側出入口２４側へ向けた空気の流れ、すなわち概ね左右方向へ向けた空気の流れが常時形成される。ここで、物干し部材１１０が洗濯物干し位置へと配置されると、当該物干し部材１１０は長手方向を前後方向へ向けて配置される。すなわち、物干し部材１１０が洗濯物干し位置へと配置されると、複数の洗濯物は前後方向に並べられる。このように、２４時間換気システムが導入されている場合には、前後方向に並べられた複数の洗濯物に対して、概ね左右方向へ向けた空気が流れるため、それぞれの洗濯物に対して新鮮な空気（他の洗濯物を経由していない空気）が流れることとなり、当該複数の洗濯物の乾燥を促進させることができる。
【００６７】
こうして、洗濯物干し位置へと配置された物干し部材１１０に取り付けられた洗濯物が乾燥すると、利用者は、操作部材１３０を引っ張り操作し、物干し部材１１０を洗濯物干し位置から洗濯物取付位置へと移動させる。物干し部材１１０が洗濯物取付位置へと配置されると、利用者は当該物干し部材１１０から洗濯物を取り外す。利用者は、物干し部材１１０から洗濯物を取り外した後、操作部材１３０をもう一度引っ張り操作し、物干し部材１１０を洗濯物取付位置から洗濯物干し位置へと移動させる。このような手順により、物干し作業が終了する。
【００６８】
以上のように、本発明の第一実施形態に係る物干し構造１００においては、
洗面脱衣室１０（洗面室）内で洗濯物が取り付けられる物干し部材１１０と、
前記物干し部材１１０の大部分（少なくとも一部分）が前記洗面脱衣室１０（洗面室）内の動作スペースＳ１（移動動線）に配置される洗濯物取付位置（第一の位置）と、前記物干し部材１１０の大部分（少なくとも一部分）が前記洗面脱衣室１０（洗面室）に設置されたパイプスペース３１、洗面台３２及び洗濯機３３（機器）の設置スペースＳ２に配置される位置であって、前記洗濯物取付位置（第一の位置）よりも前記設置スペースＳ２側に位置する洗濯物干し位置（第二の位置）と、の間で前記物干し部材１１０を移動可能に支持する移動機構１２０と、
操作可能に構成され、前記操作に応じて前記移動機構１２０により前記物干し部材１１０を前記洗濯物取付位置（第一の位置）と前記洗濯物干し位置（第二の位置）との間で移動させる操作部材１３０と、を具備するものである。
【００６９】
このような構成により、洗濯物を洗面脱衣室１０内で干している状態であっても、洗面脱衣室１０内で利用者の動作の妨げとなるのを防止することができる。
より詳細には、物干し部材１１０が洗濯物干し位置へと配置されると、当該物干し部材１１０の大部分は設置スペースＳ２の上部に配置される。ここで、設置スペースＳ２は、洗面脱衣室１０のデッドスペースである。すなわち、洗濯物を洗面脱衣室１０で干している状態であっても、当該洗面脱衣室１０内で利用者の動作の妨げとなるのを防止することができる。物干し部材１１０が洗濯物干し位置へと配置された状態で洗濯物を干すことにより、洗面脱衣室１０のデッドスペースを有効活用することができる。
【００７０】
また、本発明の第一実施形態に係る物干し構造１００においては、
前記洗濯物取付位置（第一の位置）は、前記洗洗濯物干し位置（第二の位置）よりも下方に配置され、
前記物干し部材１１０は、前記洗濯物取付位置（第一の位置）と前記洗濯物干し位置（第二の位置）との間を、側面視で鉛直方向に対して斜め方向に延びる移動軌跡を描くように移動するものである。
【００７１】
このような構成により、物干し部材１１０は洗濯物干し位置と洗濯物取付位置との間を他の位置を経由せずに移動するため、物干し部材１１０の移動のために必要なスペースを小さくすることができる。
また、物干し部材１１０が洗濯物干し位置に配置された状態で操作部材１３０を一度引っ張り操作するだけで、物干し部材１１０を当該洗濯物干し位置から洗濯物取付位置へと移動させることができる。また、物干し部材１１０が洗濯物取付位置に配置された状態で操作部材１３０を一度引っ張り操作するだけで、物干し部材１１０を当該洗濯物取付位置から洗濯物干し位置へと移動させることができる。すなわち、容易な操作で洗濯物を物干し部材１１０に干すことができる。
【００７２】
また、本発明の第一実施形態に係る物干し構造１００においては、
前記物干し部材１１０は、長手方向を前後方向（所定方向）へ向けた長手状に形成されると共に前記移動機構１２０の真下方に支持され、
前記移動軌跡は、平面視で前記前後方向（所定方向）に延びるものである。
【００７３】
このような構成により、多量の洗濯物を干すことができる。
より詳細には、物干し構造１００において、洗濯物を物干し部材１１０に取り付けた場合、洗濯物の重さにより当該物干し部材１１０は真下方へと荷重を受ける。ここで、移動機構１２０を介して天井面１５に支持される物干し部材１１０は、当該移動機構１２０（より詳細には、基台部１２１及びリンク部１２２）の真下方に支持される。また、物干し部材１１０の移動軌跡は、平面視で前後方向に延びるものであるため、移動機構１２０の概ね真下方に位置することとなる。したがって、物干し構造１００においては、物干し部材１１０を常に移動機構１２０の真下方において支持することで当該物干し部材１１０の耐荷重を向上させ、例えば物干し部材１１０が移動機構１２０の真下方ではなく斜め下方に支持されている場合や、物干し部材１１０の移動軌跡が平面視で物干し部材１１０の長手方向とは異なる方向に延びる場合等と比べて、多量の洗濯物を干すことができる。
【００７４】
また、本発明の第一実施形態に係る物干し構造１００においては、
前記移動軌跡は側面視で円弧状であるものである。
【００７５】
このような構成により、物干し部材１１０が洗濯物干し位置と洗濯物取付位置との間を移動する場合、当該物干し部材１１０の移動距離を概ね最短距離とすることができる。こうして、物干し部材１１０が洗濯物干し位置と洗濯物取付位置との間を移動する場合に当該物干し部材１１０の移動時間を短縮することができ、ひいては物干し作業の効率化を図ることができる。
【００７６】
なお、本実施形態に係る洗面脱衣室１０は、本発明に係る「洗面室」の一実施形態である。
また、本実施形態に係るパイプスペース３１、洗面台３２及び洗濯機３３は、本発明に係る「機器」の一実施形態である。
また、本実施形態に係る動作スペースＳ１は、本発明に係る「移動動線」の一実施形態である。
また、本実施形態に係る設置スペースＳ２は、本発明に係る「洗面室内に設置された機器の設置スペース」の一実施形態である。
また、本実施形態に係る洗濯物取付位置は、本発明に係る「第一の位置」の一実施形態である。
また、本実施形態に係る洗濯物干し位置は、本発明に係る「第二の位置」の一実施形態である。
【００７７】
以上、本発明に係る「物干し構造」の第一実施形態を説明したが、本発明は上記構成に限定されるものではなく、特許請求の範囲に記載された発明の範囲内で種々の変更が可能である。
【００７８】
例えば、第一実施形態においては、物干し部材１１０が洗濯物取付位置に配置された状態である場合に、当該物干し部材１１０の大部分（前部以外の部分）が動作スペースＳ１に配置される構成であるが、当該物干し部材１１０の全部が動作スペースＳ１に配置される構成等、当該物干し部材１１０の少なくとも一部分が動作スペースＳ１に配置される構成であればよい。
【００７９】
また、第一実施形態においては、物干し部材１１０が洗濯物干し位置に配置された状態である場合に、当該物干し部材１１０の大部分（後端部以外の部分）が設置スペースＳ２に配置される構成であるが、当該物干し部材１１０の全部が設置スペースＳ２に配置される構成等、当該物干し部材１１０の少なくとも一部分が設置スペースＳ２に配置される構成であればよい。
【００８０】
また、第一実施形態においては、物干し構造１００が洗面脱衣室１０の右部（すなわち、物干し部材１１０が洗濯物干し位置に配置された状態である場合に、当該物干し部材１１０が洗濯機３３の上方に位置する箇所）に配置される構成であったが、物干し構造１００が洗面脱衣室１０の左部（すなわち、物干し部材１１０が洗濯物干し位置に配置された状態である場合に、当該物干し部材１１０がパイプスペース３１及び洗面台３２の上方に位置する箇所）に配置される構成であってもよい。
【００８１】
また、第一実施形態においては、物干し構造１００が１つ（基台部１２１、リンク部１２２及び付勢部１２７がそれぞれ１つずつ）設けられる構成であったが、物干し構造１００が複数設けられる構成であってもよい。なお、物干し構造１００が複数設けられる場合には、複数の物干し構造１００は洗面脱衣室１０の左右方向に亘って互いに適宜の間隔をあけて配置される。
【００８２】
また、第一実施形態においては、本発明に係る「機器」の一実施形態として、パイプスペース３１、洗面台３２及び洗濯機３３が設置される構成であったが、これら以外のもの（例えば収納等）が設置される構成であってもよい。
【００８３】
また、第一実施形態においては、本発明に係る「移動機構」の一実施形態としての移動機構１２０が、基台部１２１、リンク部１２２及び付勢部１２７を具備する構成であったが、本発明に係る「移動機構」の構成はこれに限定するものではない。すなわち、本発明に係る「移動機構」は、物干し部材１１０の少なくとも一部分が動作スペースＳ１に配置される洗濯物取付位置と、物干し部材１１０の少なくとも一部分が設置スペースＳ２に配置される位置であって、洗濯物取付位置よりも設置スペースＳ２側に位置する洗濯物干し位置と、の間で、当該物干し部材１１０を移動可能に支持する構成であればよい。
【００８４】
また、第一実施形態においては、物干し部材１１０は、洗濯物干し位置と洗濯物取付位置との間を移動する場合、側面視で洗濯物干し位置と洗濯物取付位置とを結ぶ円弧状の移動軌跡を描くように移動する構成であったが、後述する第二実施形態に示すように、側面視で洗濯物干し位置と洗濯物取付位置とを結ぶ直線状の移動軌跡を描くように移動する構成であってもよい。
【００８５】
また、物干し構造１００は、乾燥機構１４０を具備する構成であってもよい。以下では図８を用いて、乾燥機構１４０を具備する場合の物干し構造１００の構成について説明する。
【００８６】
乾燥機構１４０は、図示せぬファンを具備し、当該ファンを用いて送風運転可能に構成される。また、乾燥機構１４０は、除湿機能を有し、除湿運転可能に構成される。また、乾燥機構１４０は、図示せぬ赤外線センサを具備し、当該赤外線センサを用いて物干し部材１１０に取り付けられた洗濯物Ｔの量を検知可能に構成される。乾燥機構１４０は、洗面台３２の上面に設置された置き台１４２に載置される。また、乾燥機構１４０は、配管１４１を具備し、当該配管１４１を介してパイプスペース３１に収納される給排水管と接続される。
【００８７】
このような構成により、洗濯物Ｔを洗面脱衣室１０で干している状態で乾燥機構１４０が作動されると、乾燥機構１４０は、前記赤外線センサにより洗濯物Ｔの量を検知し、当該検知結果に応じた運転（より詳細には、送風運転や除湿運転）を行う。こうして、洗濯物Ｔの乾燥を促進させることができる。
【００８８】
なお、乾燥機構１４０が行う運転は、所定の期間（例えば、８時間）だけ行われるように設定される。こうして、所定の期間を経過した後に洗濯物Ｔが乾燥するように設定することにより、省エネ効果を得ることもできる。また、乾燥機構１４０の除湿運転によるドレイン水は、配管１４１を介してパイプスペース３１へと直接排水することができる。また、乾燥機構１４０にスイング機構を設け、前記ファンからの送風を洗濯物Ｔ全体へと行き渡らす構成としてもよい。
【００８９】
以下では、図９から図１２を用いて、本発明の第二実施形態に係る物干し構造２００について説明する。
【００９０】
第二実施形態に係る物干し構造２００において、第一実施形態に係る物干し構造１００と特に異なる点は、第二実施形態に係る移動機構２２０の構成である。以下では第二実施形態に係る移動機構２２０の構成を中心に説明する。
【００９１】
移動機構２２０は、洗濯物取付位置と洗濯物干し位置との間で物干し部材１１０を移動可能に支持するものである。移動機構２２０は、主として基台部２２１と、リンク部２２２と、付勢部２２８と、を具備する。
【００９２】
基台部２２１は、移動機構２２０を天井面１５に固定するものである。基台部２２１は、洗面脱衣室１０の天井面１５に固定される。基台部２２１は、細長い略矩形状に形成される。基台部２２１は、長手方向を左右方向へ向けて配置される。基台部２２１の後側面２２１ａは、上後方を向くように形成される。すなわち、基台部２２１の後側面２２１ａは、後方へ行くに従って下方へと延びる傾斜面として形成される。
【００９３】
図９に示すように、基台部２２１は、洗面脱衣室１０の右前部、すなわち設置スペースＳ２に配置される。より詳細には、基台部２２１の全部は、設置スペースＳ２に配置される。
【００９４】
リンク部２２２は、物干し部材１１０を移動可能に支持するものである。リンク部２２２は、基台部２２１（より詳細には、基台部２２１の後側面２２１ａ）に伸縮自在に支持される。リンク部２２２は、主として第一アーム２２３と、第二アーム２２４と、第三アーム２２５と、第四アーム２２６と、を具備する。
【００９５】
第一アーム２２３は、細長い平板状に形成される。第一アーム２２３の一端部（上端部）は、基台部２２１の後側面２２１ａの左端部に、第一回動軸２２７ａを介して左右方向へ回動自在に軸支される。第一アーム２２３は、洗濯物干し位置において、他端部（下端部）を概ね右下方へ向けた姿勢に配置される。
【００９６】
第二アーム２２４は、細長い平板状に形成される。第二アーム２２４の一端部（上端部）は、基台部２２１の後側面２２１ａの右端部に、第二回動軸２２７ｂを介して左右方向へ回動自在に軸支される。第二アーム２２４は、洗濯物干し位置において、他端部（下端部）を概ね左下方へ向けた姿勢に配置される。
【００９７】
第三アーム２２５は、細長い平板状に形成される。第三アーム２２５の一端部（下端部）は、物干し部材１１０の左端部に、第三回動軸２２７ｃを介して左右方向へ回動自在に軸支される。第三アーム２２５の長手方向中途部は、第四回動軸２２７ｄを介して第一アーム２２３の他端部（下端部）と互いに左右方向へ回動自在に軸支される。第三アーム２２５は、洗濯物干し位置において、他端部（上端部）を概ね右上方へ向けた姿勢に配置される。
【００９８】
第四アーム２２６は、細長い平板状に形成される。第四アーム２２６の一端部（下端部）は、物干し部材１１０の右端部に、第五回動軸２２７ｅを介して左右方向へ回動自在に軸支される。第四アーム２２６の長手方向中途部は、第六回動軸２２７ｆを介して第二アーム２２４の他端部（下端部）と互いに左右方向へ回動自在に軸支される。第四アーム２２６は、洗濯物干し位置において、他端部（上端部）を概ね左上方へ向けた姿勢に配置される。
【００９９】
このように構成されたリンク部２２２においては、第一アーム２２３、第二アーム２２４、第三アーム２２５及び第四アーム２２６が互いに回動することにより、伸縮自在に（より詳細には、基台部２２１から下後方へ向けて伸びたり、上前方へ向けて縮んだりするように）構成される。
【０１００】
付勢部２２８は、基台部２２１の内側に収納される。付勢部２２８には、リンク部２２２（より詳細には、リンク部２２２のうち第二アーム２２４）を上前方へ回動するように付勢する図示せぬゼンマイバネや、第二アーム２２４が下後方へ回動された場合に前記ゼンマイバネの付勢を所定の操作が行われるまで当該第二アーム２２４に与えないように構成される図示せぬストッパ等が設けられる。
【０１０１】
こうして、付勢部２２８のゼンマイバネによりリンク部２２２が上前方へ付勢され、通常時（物干し部材１１０に洗濯物を取り付ける時以外の時）には、物干し部材１１０が洗濯物干し位置に配置される。また、第二アーム２２４が下後方へ回動された場合、すなわち物干し部材１１０が洗濯物干し位置から洗濯物取付位置へと移動された場合には、所定の操作（操作部材１３０の引っ張り操作）が行われるまで付勢部２２８のストッパによりリンク部２２２の姿勢が維持される。こうして、物干し部材１１０が、洗濯物取付位置に配置される（図１１及び図１２参照）。
【０１０２】
また、図９及び図１０に示すように、物干し部材１１０は、洗濯物干し位置に配置された場合、洗面脱衣室１０の右部において前後中央部の若干前方、すなわち設置スペースＳ２に配置される。より詳細には、物干し部材１１０の全部は、設置スペースＳ２の上部に配置される。
【０１０３】
また、図１１及び図１２に示すように、物干し部材１１０は、洗濯物取付位置に配置された場合、洗面脱衣室１０の右部において前後中央部の若干後方、すなわち動作スペースＳ１に配置される。より詳細には、物干し部材１１０の全部は、動作スペースＳ１の上下中央部の若干上方に配置される。洗濯物取付位置に配置された場合の物干し部材１１０は、洗濯物干し位置に配置された場合の物干し部材１１０の後下方に位置される。
【０１０４】
なお、物干し部材１１０が洗濯物干し位置と洗濯物取付位置との間を移動する場合、当該物干し部材１１０は、移動機構２２０により側面視で鉛直方向に対して斜め方向に延びる移動軌跡を描くように移動する。本実施形態においては、前記移動軌跡は、側面視で洗濯物干し位置と洗濯物取付位置とを結ぶ直線状となる。また、洗濯物干し位置は洗濯物取付位置と前後方向に位置されるものであるため、物干し部材１１０の移動軌跡は、平面視で洗濯物干し位置と洗濯物取付位置とを結ぶ直線状となる。
【０１０５】
このように、第二実施形態に係る物干し構造２００においても、第一実施形態に係る物干し構造１００と同様に、洗濯物を洗面脱衣室１０内で干している状態であっても、洗面脱衣室１０内で利用者の動作の妨げとなるのを防止することができる。また、物干し部材１１０が洗濯物干し位置へと配置された状態で洗濯物を干すことにより、洗面脱衣室１０のデッドスペースを有効活用することができる。
【符号の説明】
【０１０６】
１０    洗面脱衣室
３１    パイプスペース
３２    洗面台
３３    洗濯機
１００  物干し構造
１１０  物干し部材
１２０  移動機構
１３０  操作部材
Ｓ１    動作スペース
Ｓ２    設置スペース
【図１】
0006545465.tif 000002
【図２】
0006545465.tif 000003
【図３】
0006545465.tif 000004
【図４】
0006545465.tif 000005
【図５】
0006545465.tif 000006
【図６】
0006545465.tif 000007
【図７】
0006545465.tif 000008
【図８】
0006545465.tif 000009
【図９】
0006545465.tif 000010
【図１０】
0006545465.tif 000011
【図１１】
0006545465.tif 000012
【図１２】
0006545465.tif 000013